(57)【要約】【課題】発電に用する回転部の軽量化、省力化を提供する。【解決手段】Ｎ，Ｓ極を交互に複数個配設してなる平板輪状磁石２と、磁石の対向部にコイルを円形に配設してなる発電コイル３を各々固定し、双方の間に発電コイルに伝わる磁気を切入する回転軸７を備えた回転プレートを配設し、前記平板輪状磁石２及び、前記発電コイル３と前記回転プレートを相対運動を可能とした構成。【選択図】図１
2004343999.tif 000002
【特許請求の範囲】
【請求項１】
磁気シールド効果のある部材で出来た磁気シールド板に、ひとつ以上の空隙を設けた平板型回転プレートの主平面に対向して、発電用コイルと、反対面に対向して、平板形磁石を配設し、前記発電コイル及び前記平板形磁石と、平板型回転プレートが、相対的に移動可能とした事を特徴とする、回転プレート型発電装置。
【請求項２】
回転軸を備え、磁気シールド板と空隙を交互に配した平板型回転プレートの主平面に対向して、発電用コイルを複数個輪状に配列してなる集合形輪状コイルと、反対面に対向してＮ極とＳ極を交互に複数個輪状に配列してなる集合形平板輪状形磁石を配設し、前記輪状コイル及び前記平板輪状形磁石と、前記平板型回転プレートが相対運動を可能としたことを特徴とする、回転プレート型発電装置。
【請求項３】
平板形磁石に、永久磁石又は電磁石のいずれかひとつを配する事を特徴とする、請求項１，２に記載の回転プレート型発電装置。
【請求項４】
平板型回転プレートの磁気シールド板に、強磁性材又は完全反磁性材のいずれかひとつを配する事を特徴とする、請求項１，２に記載の回転プレート型発電装置。
【請求項５】
請求項４の平板型回転プレートの、磁気シールド板以外の空隙部に磁気中継板を配する事を特徴とする、請求項１，２に記載の回転プレート型発電装置。
【請求項６】
請求項１の回転プレート形状を円筒型とし、円筒型回転プレートの内外面の片面に対向して発電コイルと、反対面に対向して磁石を配設し、前記発電コイル及び前記磁石と前記円筒型回転プレートが相対運動を可能としたことを特徴とする、回転プレート型発電装置。
【請求項７】
回転軸を備えた、磁気シールド板と空隙を交互に配した、円筒型回転プレートの内外周面の片面に対向して、発電用コイルを複数個円筒形に配列してなる集合形円筒形コイルと、反対面に対向してＮ極とＳ極を交互に複数個円筒形に配列してなる集合形円筒形磁石を配設し、前記円筒形発電コイル及び前記円筒形磁石と、前記円筒型回転プレートが相対運動を可能としたことを特徴とする、回転プレート型発電装置。
【請求項８】
磁石に、永久磁石又は電磁石のいずれかひとつを配することを特徴とする、請求項６，７に記載の回転プレート型発電装置。
【請求項９】
円筒型回転プレートの磁気シールド板に、強磁性材又は完全反磁性材のいずれかひとつを配することを特徴とする、請求項６，７に記載の回転プレート型発電装置。
【請求項１０】
請求項９の円筒型回転プレートの、磁気シールド板以外の空隙部に磁気中継板を配する事を特徴とする、請求項６，７に記載の回転プレート型発電装置。
【発明の詳細な説明】
【技術分野】
【０００１】本発明は、磁石（又は電磁石）と発電用コイルを固定し、双方の間に発電コイルに伝わる磁気を断続的に切入出来る回転プレートを設定した、発電装置に関する。
【背景技術】
【０００２】従来の発電方法は、磁石（又は電磁石）と発電用コイルのどちらかを、回転する事により発電コイルに伝わる磁気の、Ｎ極とＳ極を入れ替えて発電している。
【特許文献】特開２０００−３７０６５号
【非特許文献】発電機ガイドブック．（株）パワー社．２００１年６月３０日発行Ｐ４０．４１．
【発明の開示】
【発明が解決しようとする課題】
【０００３】従来の発電装置には次のような欠点があった。磁気の効率の良い伝達の為に、電磁石及び発電用コイル共に強磁性材で補うので回転体が重くなるため、回転にも多くの力が必要となった。又、磁石か発電コイルのどちらも回転する事なく発電する構造のものは提案されていない。
【課題を解決するための手段】
【０００４】本願請求項１に記載の発明は、磁気シールド効果のある部材で出来た磁気シールド板に、ひとつ以上の空隙を設けた平板型回転プレートの主平面に対向して、発電用コイルと、反対面に対向して、平板形磁石を配設し、前記発電コイル及び前記平板形磁石と、平板型回転プレートが相対的に移動可能とした事を特徴とする、回転プレート型発電装置である。【０００５】本願請求項２に記載の発明は、回転軸を備え、磁気シールド板と空隙を交互に配した、平板型回転プレートの主平面に対向して発電用コイルを複数個輪状に配列してなる集合形輪状コイルと、反対面に対向してＮ極とＳ極を交互に複数個輪状に配列してなる集合形平板輪状形磁石を配設し、前記輪状コイル及び前記平板輪状形磁石と、前記平板型回転プレートが相対運動を可能としたことを特徴とする、回転プレート型発電装置である。【０００６】本願請求項３に記載の発明は、平板形磁石に、永久磁石又は電磁石のいずれかひとつを配する事を特徴とする、請求項１，２に記載回転プレート型発電装置である。【０００７】本願請求項４に記載の発明は、平板型回転プレートの磁気シールド板に、強磁性材又は完全反磁性材のいずれかひとつを配する事を特徴とする、請求項１，２に記載の回転プレート型発電装置である。【０００８】本願請求項５に記載の発明は、請求項４の平板型回転プレートの、磁気シールド板以外の空隙部に磁気中継板を配するした事を特徴とする、請求項１，２に記載の回転プレート型発電装置である。【０００９】本願請求項６に記載の発明は、請求項１の回転プレート形状を円筒型とし、円筒型回転プレートの内外面の片面に対向して発電コイルと、反対面に対向して磁石を配設し、前記発電コイル及び前記磁石と、前記円筒状回転プレートが相対運動可能としたことを特徴とする、回転プレート型発電装置である。【００１０】本願請求項７に記載の発明は、回転軸を備えた、磁気シールド板と空隙を交互に配した、円筒型回転プレートの内外周面の片面に対向して、発電用コイルを複数個円筒形に配列してなる集合形円筒形コイルと、反対面に対向してＮ極とＳ極を交互に複数個円筒形に配列してなる集合形円筒形磁石を配設し、前記円筒形発電コイル及び前記円筒形磁石と前記円筒型回転プレートが相対運動を可能としたことを特徴とする、回転プレート型発電装置である。【００１１】本願請求項８に記載の発明は、磁石に、永久磁石又は電磁石のいずれかひとつを配するとしたことを特徴とする、請求項６，７に記載の回転プレート型発電装置である。【００１２】本願請求項９に記載の発明は、円筒型回転プレートの磁気シ−ルド板に、強磁性材又は完全反磁性材のいずれかひとつを配することを特徴とする、請求項６，７に記載の回転プレート型発電装置である。【００１３】本願請求項１０に記載の発明は、請求項９の円筒型回転プレートの、磁気シールド板以外の空隙部に磁気中継板を配する事を特徴とする、請求項６，７に記載の回転プレート型発電装置である。
【発明の効果】
【００１４】本発明は、発電部と回転部を切り離す事により、回転部は薄いプレート一枚の為、軽量化、及び回転力の省力化が可能になる。平面型の場合、発電装置を薄型に出来て、回転部の構造が簡単で加工が容易に出来る。
【発明を実施する為の最良の形態】
【００１５】本発明は、外部より動力を受け、回転可能にした回転軸の回転板取り付け部に磁気シールド効果がある材質で出来た磁気シールド板を、任意の間隔で放射状に複数個設けて構成した平板型回転プレートの主平面に対向して、発電用コイルを複数個輪状に配列した集合形輪状コイルと、反対面に対向してＮ極とＳ極を交互に複数個配列した平板輪状の磁石をそれぞれ配設し、前記平板型回転プレートと、前記平板輪状磁石及び前記発電コイルの三者を相対的に運動可能とする構成とした。
【００１６】上記構成で、回転プレートを回転することにより発電コイルに及ぼす磁気は、シールド板のある部分でＮ極からシールド板を介してＳ極に迂回し、シールド板の無い空隙部分はそのまま磁気が発電コイルに流れる結果、発電コイルに及ぼす磁気は切入を繰り返す事となり、発電コイルに起電力が発生する構造とし、発電部と回転部を切りはなし発電部を固定する事を特徴とする。
【実施例】
【００１７】以下、本発明の一実施における回転プレートによる発電装置について、図１〜図１０に基づいて説明する。
【実施例１】
【００１８】図１は、本発明の一実施例における、回転プレートによる発電装置の概念を示す要部断面図、図２は、主構成部の分解図、図３は、図１の磁石の説明図、図４は、図１の構成で磁気シールド板に強磁性材を使った時の、磁気の流れを示す図。【００１９】図１〜図５において、符号１００は回転プレートによる発電装置、１は磁気シールド板、２は平板輪状磁石、３は発電コイル、４，５は固定板及びボデー、６は回転板固定部、７は回転軸、８は軸受、９は回転プレート取付ピン、１０はボデー、１０１は磁石部、１０２は回転プレート、１０３は発電コイル部を示す。【００２０】磁石２の一例を図３の２に示す。この場合、磁石の形状は輪状形とし、片面を固定板に固定する。磁性部材としては、フェライト磁石、希土類、アルニコ等、任意の部材として良い。又、永久磁石に限らず電磁石でも良い。【００２１】磁石の外形は輪状形に限るものではなく、矩形や多角形等任意の平板形状として良い。輪状形の場合、輪状形を等分割してＮ極とＳ極をそれぞれ交互に形成した磁石とした。【００２２】発電コイルの一例を図２の１０３に示す。コイルの種類は、空芯コイル、強磁性材で出来たコアに配線を巻いたコアコイル、リング状の一体式のコアに何相かの巻き方で形成する一体式コイル、基盤にコイルを形成した平板コイル等任意の構成で良い。磁石の各極に対向しコイルを輪状に配置し固定板に固定する。【００２３】回転プレートの一例を図２の１０２に示す。外部より動力を受け回転する回転軸７に、磁気シールド板取付部６を介して、強磁性材で出来た磁気シールド板１を、任意の間隔で放射状に配し構成する。【００２４】磁気シールド板は、磁気がＮ極から磁気シールド板内部を通り、Ｓ極に流れる大きさに設定する。磁気は回転プレートを回転する事により、磁気シールド板の有る部分でＮ極からシールド板を介してＳ極に迂回し発電コイルに流れず、磁気シールド板の無い空隙部分はそのまま磁気が発電コイルに流れる。結果、発電コイル側の磁気は切入を繰り返し発電コイルに起電力が発生する。磁気の流れを図４に示す。【００２５】発電コイルの配線は任意の配線で良い。又、整流器、電子部品を配し使用目的に応じた起電力を取り出す。
【実施例２】
【００２６】前記実施例１の、回転プレートの磁気シールド板の材質を完全反磁性材を使用すると、磁気はシールド板と反発しシールド板をさけて流れ、実施例１と同じくシールド板の有る部分で発電コイルには流れず、シールド板の無い部分で流れる。結果、発電コイル側で磁気は切入を繰り返し起電力が発生する。図５に磁気の流れを示す。
尚、完全反磁性材は冷却が必要となる為、構成部品に冷却装置が追加になる。
【実施例３】
【００２７】前記実施例１の、発電コイルに及ぼす磁気はどうしても、回転プレートのシールド板の厚さ分だけ弱くなる。そこで前記実施例１の、回転プレートの磁気シールド板の無い空隙部分（発電コイルに磁気が流れる部分）に、強磁性材で出来た磁気を中継する大きさの磁気中継板１１を追加し、磁気のロスを少なくする。図６の１０４にプレートの概念を示す。図７に磁気の流れを示す。
【実施例４】
【００２８】前記実施例１で、必ずしも平板の回転プレートにする必要は無く、各部品の配置によっては回転プレートを円筒型にしても良い。磁石及び発電コイルは、円筒型回転プレートの外周又は内周に配置する。【００２９】前記実施例４は、実施例２，３でも使用可能で各部品の配置、形状のバリエーションも増える。各部品は任意の配置で良い。図８に円筒型回転プレート発電装置の断面図、図９に主構成部の分解図、図１０に実施例３の円筒型回転プレート図を示す。
【産業上の利用可能性】
【００３０】超小型発電機から、大規模発電所まであらゆる発電分野。
【図面の簡単な説明】
【００３１】
【図１】本発明の一実施例における平板型回転プレートによる発電装置の概念を示す要部断面図
【図２】図１の主要部、分解図
【図３】図１の平板輪状形磁石の説明図
【図４】図１の構成で磁気シールド板に強磁性材を使った時の磁気の流れを示す図
【図５】図１の構成で磁気シールド板に完全反磁性材を使った時の磁気の流れを示す図
【図６】実施例３の主要部、分解図
【図７】実施例３の磁気の流れを示す図
【図８】本発明のもう一つの実施例４における円筒型回転プレートによる発電装置の要部断面図
【図９】実施例４の主要部、分解図
【図１０】本発明のもう一つの実施例４における円筒型回転プレートによる発電装置の回転プレート図
【符号の説明】
【００３２】１、    磁気シールド板
２、    平板輪状磁石
３、    発電コイル
４、    磁石取付部及びボデー
５、    発電コイル取付部及びボデー
６、    回転板取付部
７、    回転軸
８、    軸受
９、    回転プレート固定ピン
１０、  ボデー
１１、  磁気中継板
１２、  磁気シールド板
１３、  円筒形磁石
１４、  円筒形発電コイル
１５、  磁石取付部及びボデー
１６、  ボデー
１７、１８、  磁気シールド板取付部
１９、  回転軸
２０、２１、  軸受
２２、  ボデー
２３、  磁気中継板
１００  平板型回転プレートによる発電装置
１０１  磁石部
１０２  回転プレート
１０３  発電コイル部
１０４  回転プレート
１１０  円筒型回転プレートによる発電装置
１１１  円筒形磁石
１１２  円筒型回転プレート
１１３  円筒形発電コイル
１１４  円筒型回転プレート
【図１】
2004343999.tif 000003
【図２】
2004343999.tif 000004
【図３】
2004343999.tif 000005
【図４】
2004343999.tif 000006
【図５】
2004343999.tif 000007
【図６】
2004343999.tif 000008
【図７】
2004343999.tif 000009
【図８】
2004343999.tif 000010
【図９】
2004343999.tif 000011
【図１０】
2004343999.tif 000012